(57)【要約】【課題】柔らかい材質でも連結可能なブロックの提供。【解決手段】本発明は、弾性素材同士や剛性素材同士、若しくは弾性素材と剛性素材で形成された組合せブロック１００により組み合わせ可能な組合せブロックセット５００である。上記組合せブロック１００には貫通孔が形成され、上記ブロック１００の貫通孔に貫通する組合せスティックブロックにより組み合わせ可能である。【選択図】図１
2015151407.tif 000002
【特許請求の範囲】
【請求項１】
貫通孔が形成された組合せブロックと、
前記ブロックの貫通孔に貫通する組合せスティックブロックにより組み合わせ可能であり、
弾性素材で形成された該ブロック及び／または、剛性素材で形成された該ブロックにより、組み合わせ可能な組合せブロックセット。
【請求項２】
前記組合せブロックが、キャップであり、スティック形状の物品を嵌めることが可能な請求項１に記載の組合せブロックセット。
【請求項３】
前記組合せブロックが、容器であり、
該容器が組み合わせ可能な、請求項１または２に記載の組合せブロックセット。
【請求項４】
ブロック本体の４辺に複数の凸部を形成した組合せブロックであり、
前記凸部間に形成される凹部に、他の組合せブロックの凸部が嵌合することにより、組合せ可能な請求項１から３いずれか一項に記載の組合せブロックセット。
【請求項５】
請求項１から４いずれか一項に記載の組合せブロックと組み合わせ可能な、一部を切欠いたＣ形リング部材を備えた組合せブロックセット。
【請求項６】
弾性シートにより前記組合せブロックを形成し、
気体を注入することで、弾性を有する、
折りたたみ可能な請求項１から５いずれか一項に記載の組合せブロックセット。
【請求項７】
内部に中空が形成された、請求項１から５いずれか一項に記載の組合せブロックセット。
【請求項８】
弾性素材の固形物により前記ブロックを形成する、請求項１から５いずれか一項に記載の組合せブロックセット。
【請求項９】
前記弾性素材の固形物が、消しゴムである、請求項８に記載の組合せブロックセット。
【請求項１０】
前記弾性素材の固形物が、お菓子である、請求項８に記載の組合せブロックセット。
【請求項１１】
強度を増す補強材を前記組合せブロックに備え、
前記貫通孔に貫通可能な円柱形状の部材と組み合わせ可能な、請求項１から８いずれか一項に記載の組合せブロックセット。
【請求項１２】
請求項１１に記載の組合せブロックセットと、建築資材との組み合わせにより構成される建築物。
【請求項１３】
請求項１１に記載の組合せブロックセットと、家具資材との組み合わせにより構成される家具。
【請求項１４】
請求項１から１３いずれか一項に記載の組合せブロックセットの情報、及び、該組合せブロックセットを組み合わせる際に必要な情報を利用者に提供する事で、該利用者が該ブロックの組合せを仮想空間内でおこなうことが可能な組合せブロック操作装置。
【請求項１５】
請求項１４に記載の組合せブロック操作装置を複数備え、
異業種または、同業種間で前記組合せブロックの情報を共有することで、該ブロックの組合せを仮想空間内でおこなうことが可能なＷＥＢシステム。
【発明の詳細な説明】
【発明の属する技術分野】
【０００１】
本発明は、組合せブロックセット、操作装置、ＷＥＢシステムに関する。
【背景技術】
【０００２】
ブロックのように組み立てることのできる装飾具は知られている。例えば、下記特許文献１には、上記装飾具の一例としてブロック玩具が開示されている。
【先行技術文献】
【特許文献】
【０００３】
【特許文献１】特開２０１２―２２８５０４号公報
【発明の概要】
【発明が解決しようとする課題】
【０００４】
本発明においては、上記ブロック玩具のようにブロック本体同士が連結する組合せブロックを提供する。上記特許文献に開示のブロック玩具は、結着手段により、対応する２つのブロック胴体の辺継ぎ部をそれぞれ同じ直線上につながった状態に維持する。従って、玩具自体は、高分子樹脂等で形成した固い素材になる。【０００５】
一方、堅い材質と、柔らかい材質のブロックが結合することにより、ブロックが曲がるというような変化が楽しめることになる。更に、ユーザとしては子供が多いため、堅い材質よりも柔らかい材質のブロックが好まれる。本発明の目的は、柔らかい材質と硬い材質のブロックが組合せ可能な組合せブロックを提供することにある。
【課題を解決するための手段】
【０００６】
上記課題を解決するための本発明は、弾性素材同士や剛性素材同士、若しくは弾性素材と剛性素材で形成された組合せブロックにより組み合わせ可能な組合せブロックセットである。上記組合せブロックには貫通孔が形成され、上記ブロックの貫通孔に貫通する組合せスティックブロックにより組み合わせ可能である。従って、柔らかい材質のブロックであっても、堅い材質のブロックであっても連結可能なブロックを形成することができる。【０００７】
上記組合せブロックはキャップ形状で形成することが出来、スティック形状の物品を嵌めることが可能である。上記組合せブロックが容器であり、上記容器が組み合わせ可能な組合せブロックセットを形成することもできる。更に、ブロック本体の４辺に複数の凸部を形成した組合せブロックを形成し、上記凸部間に形成される凹部に、他の組合せブロックの凸部が嵌合することにより、組合せ可能な組合せブロックセットを形成することもできる。上記組合せブロックと組み合わせ可能な、一部を切欠いたＣ形リング部材を備えた組合せブロックセットを形成することもできる。【０００８】
上記の構成において、弾性シートにより上記組合せブロックを形成し、気体を注入することで、弾性を有する、折りたたみ可能な組合せブロックセットを形成することもできる。内部に中空が形成された組合せブロックセットを形成してもよい。【０００９】
弾性素材の固形物により上記ブロックを形成する組合せブロックセットでもよい。上記弾性素材の固形物を消しゴムで形成してもよい。上記弾性素材の固形物をグミの様なお菓子で形成することもできる。【００１０】
強度を増す補強材を前記組合せブロックに備え、上記貫通孔に貫通可能な円柱形状の部
材と組み合わせ可能な組合せブロックセットを形成することもできる。上記組合せブロックセットと、建築資材との組み合わせにより構成される建築物も形成することができる。上記組合せブロックセットと、家具資材との組み合わせにより構成される家具を形成することもできる。【００１１】
上記組合せブロックセットの情報、及び、上記組合せブロックセットを組み合わせる際に必要な情報を利用者に提供する事で、利用者が上記ブロックの組合せを仮想空間内でおこなうことが可能な組合せブロック操作装置を構成することもできる。更に、上記組合せブロック操作装置を複数備え、異業種または、同業種間で上記組合せブロックの情報を共有することで、上記ブロックの組合せを仮想空間内でおこなうことが可能なＷＥＢシステムを構成することもできる。
【発明の効果】
【００１２】
本発明は、弾性素材同士や剛性素材同士、若しくは弾性素材と剛性素材で形成された組合せブロックにより組み合わせ可能な組合せブロックセットである。上記組合せブロックには貫通孔が形成され、上記ブロックの貫通孔に貫通する組合せスティックブロックにより組み合わせ可能である。従って、柔らかい材質のブロックであっても、堅い材質のブロックであっても連結可能なブロックを形成することができる。
【図面の簡単な説明】
【００１３】
【図１】本発明の実施形態に係る組合せブロックセットの全体構成を示す斜視図である。
【図２】本発明の実施形態に係る組合せブロックセットの全体構成を示す斜視図である。
【図３】本発明の実施形態に係る組合せブロックセットの全体構成を示す斜視図である。
【図４】本発明の実施形態に係る組合せブロックセットの全体構成を示す斜視図である。
【図５】本発明の実施形態に係る組合せブロックの全体構成を示す正面図である。
【図６】本発明の実施形態に係る組合せブロックの全体構成を示す正面図である。
【図７】本発明の実施形態に係る組合せブロックの全体構成を示す正面図である。
【図８】本発明の実施形態に係る組合せブロックの全体構成を示す正面図である。
【図９】本発明の実施形態に係る組合せブロックの全体構成を示す正面図である。
【図１０】本発明の実施形態に係る組合せブロックの全体構成を示す正面図である。
【図１１】本発明の実施形態に係る組合せブロックの全体構成を示す斜視図である。
【図１２】本発明の実施形態に係る組合せブロックの全体構成を示す斜視図である。
【図１３】本発明の実施形態に係る組合せブロックの全体構成を示す斜視図である。
【図１４】本発明の実施形態に係る組合せブロックの全体構成を示す斜視図である。
【図１５】本発明の実施形態に係る組合せブロックの全体構成を示す斜視図である。
【図１６】本発明の実施形態に係る組合せブロックセットの全体構成を示す斜視図である。
【図１７】本発明の実施形態に係る組合せブロックの全体構成を示す斜視図である。
【図１８】本発明の実施形態に係る組合せブロックの全体構成を示す斜視図である。
【図１９】本発明の実施形態に係る組合せブロックの全体構成を示す斜視図である。
【図２０】本発明の実施形態に係る組合せブロックの全体構成を示す斜視図である。
【図２１】本発明の実施形態に係る組合せブロックの全体構成を示す斜視図である。
【図２２】本発明の実施形態に係る組合せブロックの全体構成を示す斜視図である。
【図２３】本発明の実施形態に係る組合せブロックの全体構成を示す正面図である。
【図２４】本発明の実施形態に係る組合せブロックセットの全体構成を示す正面図である。
【図２５】本発明の実施形態に係る組合せブロックセットの全体構成を示す斜視図である。
【図２６】本発明の実施形態に係る組合せブロックセットの全体構成を示す斜視図である。
【図２７】本発明の実施形態に係る組合せブロックセットの全体構成を示す斜視図である。
【図２８】本発明の実施形態に係る組合せブロックの全体構成を示す断面斜視図である。
【図２９】本発明の実施形態に係る組合せブロックの全体構成を示す斜視図である。
【発明を実施するための形態】
【００１４】
（実施の形態１）
以下本発明の組合せブロック１００及び組合せブロックセット５００について説明する。図１から図４は、本発明の実施形態に係る組合せブロックセット５００の全体構成を示す斜視図である。図５から図２７は、本発明の実施形態に係る組合せブロック１００若しくは、組合せブロックセット５００の全体構成を示す図面である。ただし、本発明に直接には関係しない各部の詳細は省略している。以下ブロック１００は正面図を記載しているが、実施の際には、希望する厚さを持つブロック１００を形成する。以下本発明のブロック１００は貫通孔が形成されたブロック１００であり、上記貫通孔にスティック状のブロック１００を組み合わせる組合せブロックセット５００である。弾性部材で上記組合せブロックセット５００を形成し、弾性素材同士を組み合わせてもよいし、剛性素材同士を組み合わせることもできる。更には、弾性素材と、剛性素材を組み合わせることもできる。
【００１５】
本発明の組合せブロック１００は、ブロック本体と、該ブロック本体同士を連結する連結部（貫通孔）を備える。上記連結部は連結手段として機能する。ブロック１００同士が連結可能であれば、その形状は問わない。球状のブロック１００や、ボックス形状のブロック１００、スティック型のブロック１００が考えられる。以下のブロック１００においては、正面から見た形状を説明しているが、適時厚みを持つブロック１００を形成してよい。以下の説明の円形部材は矩形状でも構わない。
【００１６】
図１は、本発明の組合せブロック１００を組み合わせた状態を示す組合せブロックセット５００である。スティック型組合せブロック１００の両端に２個の円形部材を連続的に接続した２個リング型組合せブロック１００ａと、スティック型組合せブロック１００の一端に円形部材を連続的に接続した１個リング型組合せブロック１００ｂと、スティック型組合せブロック１００を組み合わせている。上記２個リング型組合せブロック１００ａの両孔にスティック型組合せブロック１００を嵌め、上記スティック型組合せブロック１００に１個リング型組合せブロック１００ｂを嵌める。そして、各１個リング型ブロック１００ｂのスティック部に、別の２個リング型組合せブロック１００ａの孔を嵌めている。
【００１７】
図２は、本発明の組合せブロック１００を組み合わせた状態を示す組合せブロックセット５００である。上記２個リング型組合せブロック１００ａと、スティック型組合せブロック１００と、１個リング型組合せブロック１００ｂを交互に組み合わせている。２個リング型組合せブロック１００ａの片側の孔にスティック型組合せブロック１００を嵌め、上記スティック型組合せブロック１００の一端に１個リング型組合せブロック１００ｂを嵌める。そして、上記１個リング型組合せブロック１００ｂの他端スティック部に２個リング型組合せブロック１００ａの孔を嵌めている。
【００１８】
図３は、本発明の組合せブロック１００を組み合わせた状態を示す組合せブロックセット５００である。４個の円形状の組合せブロックを車輪として使用し、全体として車を模した形状の組合せブロックセット５００を形成している。上記円形状組合せブロックは円形板状のブロックの中心に孔を形成する。そして上記中心孔に対して対称に複数の孔を形成することで車輪型組合せブロック１００ｃを形成する。次に、半円状に屈曲した部材の両端に２個の円形部材を連続的に接続することで屈曲スティック型組合せブロック１００
ｄを形成する。上記２つの屈曲スティック型組合せブロック１００ｄの一端リング同士を上記スティック型組合せブロック１００で貫通する。この状態で上記スティック型組合せブロック１００の両端に、上記車輪型組合せブロック１００ｃを嵌めることで、車を模した組合せブロックセット５００が形成する。
【００１９】
図４は、本発明の組合せブロック１００を組み合わせた状態を示す組合せブロックセット５００である。全部で４個の組合せブロック１００を組み合わせている。円形状の部材を中心にして４方向にスティック部材を連続的に接続して、中心リング型組合せブロック１００ｅを形成する。そして、２つの円形部材を連続的に接続した形状のブロックをスティック部材の両端に連続的に接続することで、４個リング型組合せブロック１００ｆを形成する。さらに、楕円型のブロックに３個の孔を形成した、楕円リング型組合せブロック１００ｇと、Ｌ字型に屈曲した組合せブロック１００ｈを形成する。上記４種類の組合せブロックを組み合わせて組合せブロックセット５００を形成する。４個リング型組合せブロック１００ｆの一つの孔に中心リング型組合せブロック１００ｅを挿入し他の一つの孔にＬ字型組合せブロック１００ｈを挿入する。そして、上記中心リング型組合せブロック１００ｅのスティック部と、上記Ｌ字型組合せブロック１００ｈの他端とを楕円リング型組合せブロック１００ｇの２箇所の孔に挿入する。
【００２０】
その他の組合せブロック１００として以下のような形状のブロックが形成できる。以下のブロック２００においては、正面から見た形状を説明しているが、適時厚みを持つブロック２００を形成してよい。いずれのブロック１００にもブロック本体１１０に貫通孔１２０が形成されている。以下の説明の円形部材は矩形状でも構わない。図５は、３つの円形部材を３角形の頂点に並べ、それぞれの円形部材をスティック部材で連続的に接続した形状のブロック１００である。図６は、円形部材を中央に配置し、該円形部材の両端に２つのスティック部材１３０を連続的に接続した形状のブロック１００である。図７は、２つのスティック部材１３０を円弧状に曲げた状態で、中央に配置した円形部材に連続的に接続した形状のブロック１００である。図８は、中央に配置した円形部材に３つのスティック部材１３０が連結した形状のブロック１００である。スティック部材１３０間の角度は、１２０度程度になるように形成した。図９は、２つの円形部材を連結した部分に、スティック部材１３０を連結した形状のブロック１００である。図１０は、楕円若しくは、矩形状の部材の４つの角が円形状に突出した形状の部材に、４つのスティック部材１３０が連結した形状のブロック１００である。
【００２１】
ブロック１００の形成方法は公知の技術が用いられる。すなわち、高分子樹脂を射出成型することにより、希望する形状のブロック１００を形成することが可能となる。もちろん、本発明のブロック１００は弾性部材若しくは、剛性部材で形成される。ブロック本体内１１０に空気のような気体を充填することで弾性部材を形成してもよいし、グミの様な弾性素材で上記組合せ弾性ブロックを形成してもよい。組合せブロックの弾性素材をお菓子で形成しても構わない。
（実施の形態２）
実施の形態１では貫通孔を有するブロック１００を説明した。本実施例では、キャップ形状や、容器状、Ｃ型の持ち手を有するブロックを説明する。上記ブロックの貫通孔１２０にスティック形状のブロックが貫通することで、ブロック同士を組み合わして組合せブロックセット５００となる。以下のブロックにおいては、正面から見た形状を説明しているものもあるが、適時厚みを持つブロックを形成してよい。
【００２２】
図１１はキャップ状のブロック２５０の例である。貫通孔を有するブロック（以下貫通ブロック２５２）に、１本のスティック状のブロック２５４を繋げた形状を有する。スティック状のブロック２５４にも貫通孔が形成されている。貫通孔の形状は組み合わせるブロック２５０の形状により適時選択できる。円形状や矩形状でもよいし、図１２に示すよ
うに、六角形の貫通孔でもよい。
【００２３】
スティック状ブロック２５４を複数連結することにより、キャップ状ブロック２５０を形成できる。例えば、図１３に示すように、２本のスティック状ブロック２５４を貫通孔ブロック２５２に連結することで、キャップ形状のブロック２５０が形成できる。貫通孔ブロック２５２を複数使用することもできる。図１４に示すように、貫通孔ブロック２５２を２個用意し、２つのスティック状ブロック２５４と貫通ブロック２５２を交互に連結することで、キャップ形状のブロック２５０が形成できる。なお、図１４はスティック状のブロック２５４部分が屈曲可能なブロック２５０を示しているが、真直ぐなスティックでも構わない。更に、１個の貫通ブロック２５２に複数のスティック状のブロック２５４を連結してもよい。図１５は１個の貫通ブロック２５２に４本のスティック状のブロック２５４を連結して、キャップ状のブロック２５０を形成している。弾性部材でキャップ状のブロック２５０を形成してもよい。上記のように形成されたキャップ状ブロック２５０は様々な態様で用いられる。図１６に示すように、鉛筆と上記キャップ状ブロック２５０を組み合わせることで組合せ襤褸っくセット５００が出来る。
【００２４】
次に、容器状の組合せブロックセットを説明する。図１７から図１９は容器状のブロック２６０の例を示している。図１７に示すブロックは、１個の貫通ブロック２６２に２個のスティック状のブロック２６４が連結した形状の組合せブロックである。上記貫通ブロック２６２とスティック状ブロック２６４は滑らかにつながっている。上記容器状の組合せブロック２６０は内容物を取り出すための入口２６５を備えている。図１８に示すブロックは、２個の貫通ブロック２６２に１個のスティック状のブロック２６４が連結した形状の組合せブロックである。上記貫通ブロック２６２とスティック状ブロック２６４は滑らかにつながっている。上記容器状の組合せブロックは内容物を取り出すための入口２６５を備えている。図１９に示すブロックは、楕円型のブロック２６７に２個の貫通孔を形成した組合せブロック２６０である。上記容器状の組合せブロックは内容物を取り出すための入口２６５を備えている。
【００２５】
図２０に示すように、組合せブロック１００を上下に分割することが可能である。上下に分割されたブロック１４０は互いに嵌合連結することが可能である。互いに嵌合連結することにより、容器状のブロック２６０を形成することもできる。
【００２６】
次に、上記組合せブロックセット５００と組み合わせ可能なブロックとして、一部を切欠いたＣ形リング状の持ち手を有するブロック２７０を説明する。図２１に示すように、持ち手部分のリングを一部切欠くことにより、上記切欠き部にスティック状のブロックを挟むことが可能となる。上記ブロック２７０はＣ形リング２７２に、スティック状ブロック２７４を連結している。従って、多少大きさが異なるブロックであっても組合せが可能となる。スティック部分に対して垂直方向のリング部分を切欠くことで、スティック部分に平行な方向に抜けることを防ぐ。図２２に示すように、Ｃ型リング２７２を４個形成することもできる。スティック部材を互いに垂直になるように連結し、上記スティック部材の端部に、Ｃ型リング２７２を連結することで、Ｃ形リング状の持ち手を有する組合せブロック２７０を形成する。持ち手部分のリングを一部切欠くことにより、上記切欠き部にスティック状のブロックを挟むことが可能となる。上記ブロック２７０はＣ形リング２７２に、スティック状ブロック２７４を連結している。従って、多少大きさが異なるブロックであっても組合せが可能となる。スティック部分に対して垂直方向のリング部分を切欠くことで、スティック部分に平行な方向に抜けることを防ぐ。
【００２７】
本実施例の組合せブロックは、弾性シートにより形成した組合せブロックに気体送入口を形成し、空気等の気体を注入することで、弾性を有するブロックを形成することが出来る。更に、射出成型や、型枠により、内部を中空にするように弾性ブロックを形成するこ
とができる。更に、本実施例の組合せブロックは、消しゴムや、お菓子の様な弾性素材の固形物で形成することもできる。
【００２８】
強度を増す補強材（公知の部材を使用する）を組合せブロックに備えることで、貫通孔に貫通可能な円柱形状の部材と組み合わせることができる。例えば、鉄パイプのような剛性の素材と上記組合せブロックを組み合わせることで、組合せブロックセットが形成できる。従って、上記のように形成した組合せブロックセットと、建築資材との組み合わせにより建築物や、家具を構成することができる。上記実施の形態１から３までの組合せブロックを組み合わせることで、図１から図３に示すような形態の物品を構成することができる。
（実施の形態３）
実施の形態１及び２では、貫通孔にスティック部材を貫通することで組み合わせるブロック１００を説明した。本実施例では、凹部と凸部同士が嵌合することで組み合わせる連結部を有するブロック３００を説明する。以下のブロック３００においては、正面から見た形状を説明しているが、適時厚みを持つブロック３００を形成してよい。以下の説明中の矩形部材は円形状部材でも構わない。
【００２９】
図２３は、矩形部材の対向する辺部を一組として、一の組の辺部には３つの凸部１４０を形成し、他方の組の辺部には２つの凸部１４０を形成したブロック３００である。凸部１４０と凸部１４０の間には凹部が形成されるので、上記凹部と凸部１４０が組み合わせ可能なように、上記凹部及び凸部１４０の形状が形成される。ブロック３００同士を連結することで、壁面を形成することもできる。図２４は、４つの角に屈曲凸部１５０を形成したブロック３００を中央に配置し、上記ブロック３００同士を組み合わせたブロック群４００（壁面）である。中央の屈曲凸部１５０がブロック群４００に生じる隙間を埋めるように配置されている。なお、図２５に示すように、壁面同士を連結することで、３面の立体や6面の立方体４１０を形成することも可能である。図２６、図２７に示すように、凹部と凸部同士が嵌合することで組み合わせる連結部を有するブロック３００と、上記１個リング型組合せブロック１００ｂを例とする組合せブロック１００を組み合わせることで組合せブロックセット５００を形成することができる。
【００３０】
本実施例の組合せブロックは、弾性シートにより形成した組合せブロックに気体送入口を形成し、空気等の気体を注入することで、弾性を有するブロックを形成することが出来る。更に、射出成型や、型枠により、内部を中空にするように弾性ブロックを形成することができる。更に、本実施例の組合せブロックは、消しゴムや、お菓子の様な弾性素材の固形物で形成することもできる。
【００３１】
強度を増す補強材（公知の部材を使用する）を組合せブロックに備えることで、貫通孔に貫通可能な円柱形状の部材と組み合わせることができる。例えば、鉄パイプのような剛性の素材と上記組合せブロックを組み合わせることで、組合せブロックセットが形成できる。従って、上記のように形成した組合せブロックセットと、建築資材との組み合わせにより図２６や図２７に示す建築物５００や、家具６００を構成することができる。
【００３２】
その他本発明の組合せブロックを弾性部材として使用する際には図２８や図２９に示すような空気注入口を形成する。図２８は本発明の組合せブロック１００の断面斜視図である。空気を注入可能な注射針を空気充填用孔１５０（注射針を抜き差し可能な栓）に入れて空気を充填する形式のブロック１００である。図２９は、蓋タイプ１５１のブロック１００である。
（実施の形態４）
上記実施の形態１，２，３では、ブロック１００、３００の連結方法を説明した。本実施例では、ＷＥＢ上の仮想空間を用いた上記ブロック１００，３００の連結方法を説明す
る。以下代表してブロック１００の場合を説明する。
予め組合せブロックの情報（３Ｄでも２Ｄでもよい）、上記組合せブロック１００を組立てる際に必要な情報を登録しておく。例えば、組合せブロック１００の凹部の形状や凸部１４０の形状、さらに、どのブロック１００がどのブロック１００と連結するかの情報が登録される。そして、利用者の仮想空間表示端末が、仮想空間制御装置に接続する。端末上には利用者の指定する視点位置から見た仮想空間の組合せブロックの映像を表示する。このようにして、上記組合せブロック１００の情報に基づいて、上記ブロック１００の連結が仮想空間上で実行可能となる。従って、利用者が、該組合せブロック１００の組み立てを仮想空間内で行うことが可能な組合せブロック操作装置が構成できる。
【００３３】
前記組合せブロック操作装置を複数備え、異業種または、同業種間で上記組合せブロックの情報を共有することで、該ブロックの組合せを仮想空間内でおこなうことが可能なＷＥＢシステムを構成することも可能である。なお、仮想空間での操作に必要なソフトや装置は公知の技術を使用する。
（実施の形態５）
上記実施の形態１では、ブロック１００，３００の連結方法を説明した。本実施例では、自動販売機を用いた上記ブロック１００，３００の連結方法を説明する。以下代表してブロック１００の場合を説明する。
予め組合せブロック１００の情報（３Ｄでも２Ｄでもよい）、上記組合せブロック１００を組立てる際に必要な情報を登録しておく。例えば、組合せブロック１００の凹部の形状や凸部１４０の形状、さらに、どのブロック１００がどのブロック１００と連結するかの情報が登録される。そして、
自動販売機の表示部が仮想空間の組合せブロック１００の映像を表示する。このようにして、上記組合せブロック１００の情報に基づいて、上記ブロック１００の連結に関する説明が自動販売機の表示部上で実行可能となる。組合せブロック１００の組み立てに必要なブロック１００、または連結ユニットを表示する自動販売機が構成できる。なお、自動販売機や上記自動販売機の表示部の操作に必要なソフトや装置は公知の技術を使用する。
（実施の形態６）
組合せブロックのその他の使い方を説明する。例えば、図２６、２７に示すように、組合せブロックを組み合わせて構造物（組合せブロックセット５００）を構成することが出来る。以下代表してブロック１００の場合を説明する。剛性素材により上記組合せブロック１００を形成することが出来る。そして、上記弾性素材で形成したブロック１００同士、または、剛性素材で形成したブロック１００同士、または、弾性素材で形成したブロック１００と、剛性素材で形成したブロック１００を組み合わせることが出来る。
【００３４】
弾性素材として、弾性シートで組合せブロック１００を形成し、空気を例とする気体を注入することで、ボールのように、反発力のある組合せブロック１００を形成することができる。この場合、使用後には、折りたたむことが可能となる。グミ等のお菓子や消しゴムの様な弾性素材の固形物により、上記組合せブロック１００を形成してもよい。
【００３５】
図３０に示すように、組合せブロック１００を建築資材と組み合わせることで、建築物５５０を構成することができる。例えば、鉄パイプに上記組合せブロック１００を組み合わせることで、建築物５５０を構成可能である。公知の建築資材との組み合わせにより建築物５５０を構成できる。更に、図３１に示すように、組合せブロック１００を公知の家具資材と組み合わせることで、家具６００を構成することが出来る。組合せブロック１００に強度を増す補強材を加えて、建築資材や、家具資材として使用することもできる。
【産業上の利用可能性】
【００３６】
本発明は、弾性素材同士や剛性素材同士、若しくは弾性素材と剛性素材で形成された組合せブロックにより組み合わせ可能な組合せブロックセットである。上記組合せブロック
には貫通孔が形成され、上記ブロックの貫通孔に貫通する組合せスティックブロックにより組み合わせ可能である。従って、柔らかい材質のブロックであっても、堅い材質のブロックであっても連結可能なブロックを形成することができ、その産業上の利用可能性は大きい。
【符号の説明】
【００３７】
１００，３００    組合せブロック
１１０    ブロック本体１１０
１２０    貫通孔
１３０    スティック部材
１４０    凸部
１５０    屈曲凸部
４００    ブロック群
【図１】
2015151407.tif 000003
【図２】
2015151407.tif 000004
【図３】
2015151407.tif 000005
【図４】
2015151407.tif 000006
【図５】
2015151407.tif 000007
【図６】
2015151407.tif 000008
【図７】
2015151407.tif 000009
【図８】
2015151407.tif 000010
【図９】
2015151407.tif 000011
【図１０】
2015151407.tif 000012
【図１１】
2015151407.tif 000013
【図１２】
2015151407.tif 000014
【図１３】
2015151407.tif 000015
【図１４】
2015151407.tif 000016
【図１５】
2015151407.tif 000017
【図１６】
2015151407.tif 000018
【図１７】
2015151407.tif 000019
【図１８】
2015151407.tif 000020
【図１９】
2015151407.tif 000021
【図２０】
2015151407.tif 000022
【図２１】
2015151407.tif 000023
【図２２】
2015151407.tif 000024
【図２３】
2015151407.tif 000025
【図２４】
2015151407.tif 000026
【図２５】
2015151407.tif 000027
【図２６】
2015151407.tif 000028
【図２７】
2015151407.tif 000029
【図２８】
2015151407.tif 000030
【図２９】
2015151407.tif 000031
【国際調査報告】
2015151407.tif 000032
2015151407.tif 000033
2015151407.tif 000034
2015151407.tif 000035
2015151407.tif 000036